(57)【要約】【課題】ＲＦＩＤタグを利用した認証のセキュリティー性を向上することができる動態監視システムを提供する。【解決手段】認証位置まで通じる複数の経路に沿って複数設けられた受信装置を介して、ＲＦＩＤタグが送信するＲＦＩＤ用情報を読取るＲＦＩＤ読取り部と、受信装置の各々がＲＦＩＤ用情報を受信した時刻の差に基づいて、複数の経路の中からＲＦＩＤタグの移動軌跡を特定して蓄積する移動軌跡蓄積部と、ＲＦＩＤ用情報が、複数の経路の中から選択された認証用軌跡情報とＲＦＩＤ用情報とは異なる個人認証用情報とに対応して予め記憶されている記憶部と、認証位置で個人認証用情報を用いて認証操作が行われた場合に、移動軌跡蓄積部に蓄積されたＲＦＩＤタグの移動軌跡と記憶部に記憶されている認証用軌跡情報との比較結果に基づいて、個人認証を行う認証部とを備えた。【選択図】図１
2010286301.tif 000002
【特許請求の範囲】
【請求項１】
認証位置まで通じる複数の経路に沿って複数設けられた受信装置を介して、前記ＲＦＩＤタグが送信するＲＦＩＤ用情報を読取るＲＦＩＤ読取り部と、
前記受信装置の各々が前記ＲＦＩＤ用情報を受信した時刻の差に基づいて、前記複数の経路の中から前記ＲＦＩＤタグの移動軌跡を特定して蓄積する移動軌跡蓄積部と、
前記ＲＦＩＤ用情報が、前記複数の経路の中から選択された認証用軌跡情報と前記ＲＦＩＤ用情報とは異なる個人認証用情報とに対応して予め記憶されている記憶部と、
前記認証位置で前記個人認証用情報を用いて認証操作が行われた場合に、前記移動軌跡蓄積部に蓄積された前記ＲＦＩＤタグの移動軌跡と前記記憶部に記憶されている前記認証用軌跡情報との比較結果に基づいて、個人認証を行う認証部と、
を備えたことを特徴とする動態監視システム。
【請求項２】
前記認証部は、前記認証位置で前記個人認証用情報を用いて認証操作が行われたときを基点とした過去の指定時間内に前記移動軌跡蓄積部に蓄積された前記ＲＦＩＤタグの移動軌跡を、前記認証用軌跡情報との比較対象とすることを特徴とする請求項１記載の動態監視システム。
【発明の詳細な説明】
【技術分野】
【０００１】
この発明は、動態監視システムに関するものである。
【背景技術】
【０００２】
従来の動態監視システムとして、ＲＦＩＤタグから得られた現在の位置情報を用いて認証を行い、セキュリティー性の向上を図るものが提案されている（例えば、特許文献１参照）。
【先行技術文献】
【特許文献】
【０００３】
【特許文献１】特開２００９−３１０５５号公報
【発明の概要】
【発明が解決しようとする課題】
【０００４】
しかし、特許文献１記載のものは、ＲＦＩＤタグを第三者が使用した場合、なりすましができてしまうという問題があった。
【０００５】
この発明は、上述のような課題を解決するためになされたもので、その目的は、ＲＦＩＤタグを利用した認証のセキュリティー性を向上することができる動態監視システムを提供することである。
【課題を解決するための手段】
【０００６】
この発明に係る動態監視システムは、認証位置まで通じる複数の経路に沿って複数設けられた受信装置を介して、前記ＲＦＩＤタグが送信するＲＦＩＤ用情報を読取るＲＦＩＤ読取り部と、前記受信装置の各々が前記ＲＦＩＤ用情報を受信した時刻の差に基づいて、前記複数の経路の中から前記ＲＦＩＤタグの移動軌跡を特定して蓄積する移動軌跡蓄積部と、前記ＲＦＩＤ用情報が、前記複数の経路の中から選択された認証用軌跡情報と前記ＲＦＩＤ用情報とは異なる個人認証用情報とに対応して予め記憶されている記憶部と、前記認証位置で前記個人認証用情報を用いて認証操作が行われた場合に、前記移動軌跡蓄積部に蓄積された前記ＲＦＩＤタグの移動軌跡と前記記憶部に記憶されている前記認証用軌跡情報との比較結果に基づいて、個人認証を行う認証部とを備えたものである。
【発明の効果】
【０００７】
この発明によれば、ＲＦＩＤタグを利用した認証のセキュリティー性を向上することができる。
【図面の簡単な説明】
【０００８】
【図１】この発明の実施の形態１における動態監視システムのブロック図である。
【図２】この発明の実施の形態１における動態監視システムの認証用軌跡情報の登録方法を説明するための図である。
【図３】この発明の実施の形態１における動態監視システムの移動軌跡の蓄積方法を説明するためのフローチャートである。
【図４】この発明の実施の形態１における動態監視システムにより認証された場合を説明するための図である。
【図５】この発明の実施の形態１における動態監視システムにより認証が拒否された場合を説明するための図である。
【図６】この発明の実施の形態１における動態監視システムの認証動作を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
まず、図１を用いて、動態監視システムの構成を説明する。
図１はこの発明の実施の形態１における動態監視システムのブロック図である。
図１に示すように、動態監視システムは、ＲＦＩＤ読取り部１、制御部２、登録情報記憶部３、動態情報判定部４、移動軌跡蓄積部５、カード読取り部６、カード登録情報記憶部７、登録移動軌跡記憶部８、認証部９、表示部１０を備える。
【００１１】
ＲＦＩＤ読取り部１は、建築物内等の監視エリア内の認証位置まで通じる複数の経路に沿って複数設けられた受信装置（図示せず）、例えば、アンテナを介して、ユーザ所有のＲＦＩＤタグが送信するＲＦＩＤ用情報とＲＦＩＤ用情報を受信した受信装置の位置情報とを読取る機能を備える。制御部２は、ＲＦＩＤ読取り部１を介して受信装置の制御を行う機能を備える。また、制御部２は、ＲＦＩＤ読取り部１からＲＦＩＤ用情報と受信装置の位置情報とを読取る機能を備える。
【００１２】
登録情報記憶部３は、ＲＦＩＤ用情報に対応した動態の情報、例えば、名前等の各属性を記憶する機能を備える。動態情報判定部４は、制御部２からＲＦＩＤ用情報と受信装置の位置情報とを読取るととともに、登録情報記憶部３からＲＦＩＤ用情報に対応した動態の情報を読取る機能を備える。
【００１３】
移動軌跡蓄積部５は、動態情報判定部４から、ＲＦＩＤ用情報、受信装置の位置情報、動態の情報を読取る機能を備える。また、移動軌跡蓄積部５は、受信装置の各々がＲＦＩＤ用情報を受信した時刻の差に基づいて、複数の経路の中からＲＦＩＤタグの移動軌跡を特定して蓄積する機能を備える。
【００１４】
カード読取り部６は、認証位置に設けられたカード読取り装置（図示せず）を介し、ユーザ所有のカード内の情報を読取る機能を備える。カード登録情報記憶部７は、カード内の情報に対応した個人認証用情報を予め記憶する機能を備える。登録移動軌跡記憶部８は、カード内の情報に対応したＲＦＩＤ用情報を、複数の経路の中から選択された認証用軌跡情報に対応付けて予め記憶する機能を備える。
【００１５】
認証部９は、移動軌跡蓄積部５から、ＲＦＩＤ用情報、動態の情報、ＲＦＩＤタグの移動軌跡の情報を読取る機能を備える。また、認証部９は、認証位置でカードを用いて個人認証操作が行われた場合に、移動軌跡蓄積部５に蓄積されたＲＦＩＤタグの移動軌跡と登録移動軌跡記憶部８に記憶されている認証用軌跡情報との比較結果に基づいて、個人認証を行う機能を備える。表示部１０は、認証部９から動態の情報と認証結果とを読取り、表示画面に表示する機能を備える。
【００１６】
次に、図２を用いて、登録移動軌跡記憶部８への認証用軌跡情報の登録方法を説明する。
図２はこの発明の実施の形態１における動態監視システムの認証用軌跡情報の登録方法を説明するための図である。
図２において、１１は登録表示装置の表示画面である。認証用軌跡情報は、ＧＵＩ等を用いて登録される。即ち、表示画面１１上の操作で、ＲＦＩＤ用情報が入力されると、建建築物のフロア模式図１２と注意書き１３が表示される。
【００１７】
フロア模式図１２の左側中央には、部屋１４が示される。この部屋１４の下方中央には、扉Ａ１５が示される。フロア模式図１２の右上側には、部屋１６が示される。この部屋１６の下方中央には、扉Ｂ１７が示される。フロア模式図１２の右下側には、部屋１８が示される。この部屋１８の上方中央には、扉Ｃ１９が示される。扉Ａ１５、扉Ｂ１７、扉Ｃ１９の入口側には、カード読取り装置（図示せず）が設けられる。即ち、扉Ａ１５、扉Ｂ１７、扉Ｃ１９の建築物内の認証位置となっている。
【００１８】
そして、部屋１４の上下側及び右側に沿って、通路が示される。この部屋１４の右側通路中央は、部屋１６、１８の間の通路に連結されて示される。ここで、受信装置による第１検出エリア２０が、部屋１４の左上隅近傍の通路上に示される。また、受信装置による第２検出エリア２１が、部屋１４右側の通路と部屋１７、１８間の通路との交差部上に示される。さらに、受信装置による第３検出エリア２２が、扉Ａ１５近傍の通路上に示される。
【００１９】
一方、注意書き１３には、「軌跡登録」の方法が表示される。即ち、まず、「対象扉の指定」が行われる。図２においては、扉Ｃ１９近傍の表示画面１１を触れることにより、対象扉として、扉Ｃ１９が指定されている。その後、「軌跡の登録」が行われる。具体的には、「タグ検出エリアの通過順番を指定」することにより、「軌跡の登録」が行われる。図２においては、表示画面１１の第１検出エリア２０近傍、第２検出エリア２１近傍を順番に触れることにより、第３検出エリア２２を経由することなく、第１検出エリア２０、第２検出エリア２１の順で、扉Ｃまでの軌跡が指定されている。これにより、認証用軌跡情報２３が登録される。
【００２０】
その後、「通過時間指定」が行われる。具体的には、「カード認証時から何分前までの間の軌跡が対象であるかを指定」することにより、「通過時間指定」が行われる。図２においては、「通過時間指定」として、「５分前」（図示せず）までが指定されている。
【００２１】
次に、図３を用いて、移動軌跡蓄積部５による移動軌跡の蓄積方法を説明する。
図３はこの発明の実施の形態１における動態監視システムの移動軌跡の蓄積方法を説明するためのフローチャートである。
まず、電源が投入されると、ステップＳ１では、ＲＦＩＤ用情報の読取処理が行われ、ステップＳ２に進む。ステップＳ２では、ＲＦＩＤ用情報の読取りができたか否かが判定される。
【００２２】
ＲＦＩＤ用情報の読取りができない場合は、ステップＳ１を繰り返す。ＲＦＩＤ情報の読取りができた場合は、ステップＳ３に進む。ステップＳ３では、動態情報判定部４を介して、ＲＦＩＤ用情報に対応した動態の情報に関する登録データの読取りが行われ、ステップＳ５に進む。ステップＳ５では、登録データから動態の特定を行い、受信装置の位置情報とＲＦＩＤ用情報を受信した時刻の差に基づいて、ＲＦＩＤタグの移動軌跡の情報が記録されて蓄積される。また、これと同時に、移動軌跡の情報が記録されたときの時刻も対応付けて記憶される。
【００２３】
次に、認証部９によるユーザの認証方法を説明する。
まず、図４を用いて、ユーザが認証される場合を説明する。
図４はこの発明の実施の形態１における動態監視システムにより認証された場合を説明するための図である。
【００２４】
図４の左側には、図２を用いた説明で登録された認証用軌跡情報の登録パターンが示される。一方、図４の右側には、図３を用いた説明で記憶されたＲＦＩＤタグの移動軌跡２４の情報に対応した照合パターンが示される。図４に示すように、登録パターンと照合パターンの軌跡は同一である。また、照合パターンの軌跡は、５分前に蓄積されたものであり、登録パターンの「５分以内」の条件を満足している。このため、ユーザは認証される。これにより、扉Ｃ１９の解錠処理が行われる。
【００２５】
次に、図５を用いて、ユーザが認証を拒否される場合を説明する。
図５はこの発明の実施の形態１における動態監視システムにより認証が拒否された場合を説明するための図である。
【００２６】
図５の左側には、図２を用いた説明で登録された認証用軌跡情報の登録パターンが示される。一方、図５の右側には、図３を用いた説明で記憶されたＲＦＩＤタグの移動軌跡２５の情報に対応した照合パターンが示される。図５に示すように、登録パターンと照合パターンの経路は同一である。しかし、照合パターンの軌跡は、６分前に蓄積されたものであり、登録パターンの「５分以内」の条件を満足していない。このため、ユーザは認証を拒否される。即ち、扉Ｃ１９の解錠処理が行われることはない。
【００２７】
次に、図６を用いて、動態監視システムによる扉Ｃ１９での認証動作を説明する。
図６はこの発明の実施の形態１における動態監視システムの認証動作を説明するためのフローチャートである。
まず、電源が投入されると、ステップＳ１１では、カード読取り部６でカードの読取処理が行われ、ステップＳ１２に進む。ステップＳ１２では、カードの読取りができたか否かが判定される。
【００２８】
カードの読取りができない場合は、ステップＳ１１を繰り返す。カードの読取りができた場合は、ステップＳ１３に進む。ステップＳ１３では、認証部９で、カードに対応した個人認証用情報に関する登録データがカード登録情報記憶部７から読取られ、ステップＳ１４に進む。ステップＳ１４では、カードが正規に登録されているかのカード認証処理が行われ、ステップＳ１５に進む。ステップＳ１５では、カード認証ができたか否かが判定される。
【００２９】
カードにより認証された場合は、ステップＳ１６に進む。ステップＳ１６では、認証用軌跡情報が登録移動軌跡記憶部８から読取られ、ステップＳ１７に進む。ステップＳ１７では、移動軌跡が移動軌跡蓄積部５から読取られ、ステップＳ１８に進む。ステップＳ１８では、認証用軌跡情報と移動軌跡との比較による軌跡認証が行われる。
【００３０】
軌跡により認証された場合は、ステップＳ１９に進む。ステップＳ１９では、扉Ｃ１９の解錠処理が行われ、ステップＳ２０に進む。ステップＳ２０では、認証結果ＯＫの表示処理が行われ、ステップＳ２１に進む。ステップＳ２１では、移動軌跡が通行履歴として保存される。また、ステップＳ１５でカードによる認証が拒否された場合や、ステップＳ１８で軌跡による認証が拒否された場合は、ステップＳ１９での扉Ｃ１９の解錠処理を行わず、ステップＳ２０に進み、認証結果ＮＧの表示処理が行われる。その後、ステップＳ２１に進み、移動軌跡が通行履歴として保存される。
【００３１】
以上で説明した実施の形態によれば、個人認証用情報を用いて認証操作が行われた場合に、移動軌跡蓄積部５に蓄積されたＲＦＩＤタグの移動軌跡と登録移動軌跡記憶部８に記憶されている認証用軌跡情報との比較結果に基づいて、個人認証が行われる。即ち、本人しか知り得ない情報として、動態の軌跡を利用して認証が行われる。
【００３２】
これにより、異常な軌跡で認証位置に到着した通行者の認証を拒否する運用ができる。また、各ユーザ毎に異なる認証用軌跡情報を登録することができる。このため、ＲＦＩＤタグやカード拾った第三者によるなりすましが困難となり、セキュリティー性を向上することができる。
【００３３】
また、認証用軌跡情報との比較対象となる移動軌跡は、認証操作が行われたときを基点とした過去の指定時間内に移動軌跡蓄積部５に蓄積されたものである。このため、一旦、移動軌跡蓄積部５に認証用軌跡情報と同一の移動軌跡が蓄積された後であっても、指定時間が経過すれば、ＲＦＩＤタグやカード拾った第三者によるなしすましを防止することができる。
【００３４】
なお、実施の形態１では、個人認証用情報をカード内の情報と対応した情報とし、カード認証を行う構成とした。しかし、個人認証用情報を生体データとして、生体認証を行う構成としてもよい。また、実施の形態１では、認証位置が扉の場合で説明した。しかし、認証位置は、単なるゲート等でもよい。
【符号の説明】
【００３５】
１  ＲＦＩＤ読取り部、  ２  制御部、  ３  登録情報記憶部、  
４  動態情報判定部、  ５  移動軌跡蓄積部、  ６  カード読取り部、
７  カード登録情報記憶部、  ８  登録移動軌跡記憶部、  ９  認証部、  
１０  表示部、  １１  表示画面、  １２  フロア模式図、  １３  注意書き、
１４  部屋、  １５  扉Ａ、  １６  部屋、  １７  扉Ｂ、  １８  部屋、
１９  扉Ｃ、  ２０  第１検出エリア、  ２１  第２検出エリア、  
２２  第３検出エリア、  ２３  認証用軌跡情報、  ２４、２５  移動軌跡
【図１】
2010286301.tif 000003
【図２】
2010286301.tif 000004
【図３】
2010286301.tif 000005
【図４】
2010286301.tif 000006
【図５】
2010286301.tif 000007
【図６】
2010286301.tif 000008